(57)【特許請求の範囲】
【請求項１】
タワークレーン（２、３）のマスト（４、２４）の複数個所をそのマスト（４、２４）のアウター部材（１４）に設けた取付金具（１５）と他の構造物（１）の柱（９）に設けた取付金具（１７）とで接続するタワークレーンのマスト水平支持装置において、マスト（４）の最上部に用いられているマスト支持装置（７）はすべて棒状に連接されたマスト側のステー（１０）とオイルダンパで構成した制震装置（１１）と締付装置（１２）と柱側のステー（１３）とで構成され、前記マスト側のステー（１０）は前記取付金具（１５）にフートピン（１６）で可動に取り付けられ、かつ前記柱側のステー（１３）は前記取付金具（１７）にフートピン（１６）で可回動に取り付けられ、最上部以外のマスト水平支持装置（８）はマスト側のステー（２１）と柱側のステー（２３）との間に締付装置（２２）が介装されていることを特徴とするタワークレーンのマスト水平支持装置。
【発明の詳細な説明】
【０００１】
【発明の属する技術分野】
本発明は、高層及び超高層ビル建設用のタワークレーンのマスト水平支持装置で、特に中震以上の地震又は強風により大きく揺れても破壊することがないタワークレーンのマスト水平支持装置に関するものである。
【０００２】
【従来の技術】
高層及び超高層ビル建設用のタワークレーンは、タワークレーンのマストとビルの柱とをマスト水平支持装置で固定し、地震又は強風時にタワークレーンが倒壊することを防止している。
【０００３】
図５に示すように、従来のマスト水平支持装置８は、マスト側のステー２１とビル側のステー２３の間に締付装置２２を介装している。そして、マスト４のアウター材１４に設けられた取付金具１５にマスト側のステー２１をフートピン１６で可回動に取り付け、ビル１の柱９に設けられた取付金具１７にステー２３をフートピン１６で可回動に取り付け、ステー長さ調整装置２２によりマスト４を垂直にバランス良く保持しマスト４をビル１の柱９に支持している。
【０００４】
このように、従来のマスト水平支持装置８は、マスト４とビル１とを硬的に接続しているので、通常時には強固に支持されるが、中震以上の地震及び強風時に大きく揺れると、マスト水平支持装置８が破壊され、マスト水平支持装置８によるマスト４の支持がなくなり、タワークレーンが倒壊する虞がある。また、マスト水平支持装置８によりマスト４が固定されている為、マスト水平支持装置８を支点として、上部のマストに過大な力が掛かり、マストの破損によるタワークレーンの倒壊災害が発生する虞がある。
【０００５】
【発明が解決しようとする課題】
本発明は、上述したような従来技術の問題点に鑑みて提案されたものであり、中震以上の地震及び強風時に大きく揺れたり、繰り返し荷重が掛かっても、破壊することがないタワークレーンのマスト水平支持装置を提供することを目的としている。
【０００６】
【課題を解決するための手段】
本発明によれば、タワークレーン２、３のマスト４、２４の複数個所をそのマスト（４、２４）のアウター部材１４に設けた取付金具１５と他の構造物１の柱９に設けた取付金具１７とで接続するタワークレーンのマスト水平支持装置において、マスト４の最上部に用いられているマスト支持装置７はすべて棒状に連接されたマスト側のステー１０とオイルダンパで構成した制震装置１１と締付装置１２と柱側のステー１３とで構成され、前記マスト側のステー１０は前記取付金具１５にフートピン１６で可動に取り付けられ、かつ前記柱側のステー１３は前記取付金具１７にフートピン１６で可回動に取り付けられ、最上部以外のマスト水平支持装置８はマスト側のステー２１と柱側のステー２３との間に締付装置２２が介装されている。
【０００７】
そして、前記制震装置はオイルダンパであるので、揺れが充分に吸収され、耐久性もよい。
また、前記両ステーの間にはステー長さ調整装置が介装されているので、タワークレーンは垂直にバランス良くビルに強固に支持される。
なお、取付金具を設けた他の構造物の柱としては隣接する任意のものでよく、例えば建設中のビルの柱等が用いられる。
【０００８】
【発明の実施の形態】
以下、本発明の実施の形態を説明する。図１、２に示すように、高層及び超高層ビル１を建設するタワークレーンには、ビル１の外側に設けるタワークレーン２と、ビル１の内側に設けるタワークレーン３がある。
ビル１の外側に設けるタワークレーン２は、ビル１の外側にマスト４を組み、このマスト４の上端にクレーン５を設けている。このマスト４は、ビル１の骨組が組み上がる高さに応じて高く組み上げ、マスト４の複数箇所をマスト水平支持装置７、８でビル１の柱９に固定し、地震又は強風時のタワークレーン２の揺れを低減し、倒壊を防止している。マスト４の最上部のマスト水平支持装置７は本発明の制震装置付のものが使用され、中間部のマスト水平支持装置８は従来から用いられているものが使用されている。
【０００９】
図３に示すように、マスト４の最上部に用いられているマスト水平支持装置７は、マスト４とビル１の柱９の間にＶ字状に配置されている。このマスト水平支持装置７は、マスト側のステー１０、制震装置１１、締付装置１２、及び柱側のステー１３で構成され、これらが棒状に連接されている。そして、マスト４のアウター材１４に設けられている取付金具１５にステー１０をフートピン１６で可回動に取り付け、ビル１の柱９に設けられている取付金具１７にステー１３をフートピン１６で可回動に取り付け、ステー長さ調整装置１２を締め付けることにより、マスト４を垂直にバランス良くビル１に強固に支持する。
【００１０】
制震装置１１は公知のオイルダンパであり、例えば図４に示すように、オイルを入れたシリンダ１８と、シリンダ１８内を摺動するピストン１９と、オイルの流れを制限してピストン１９を制動する減衰弁２０で構成さた両ロッドタイプのものが用いられる。この制震装置１１のピストン１９をマスト側のステー１０に接続し、シリンダ１８を締付装置１２に接続する。そして、揺れによりシリンダ１８とピストン１９が相対的に動いてオイルが減衰弁２０を通過する時に、運動エネルギが熱エネルギに変換されて動きを制動するようになっている。
【００１１】
なお、オイルダンパの減衰弁２０の抵抗値は、ビル１の揺れとタワークレーン２の揺れとを解析して、最適に設定されている。また、圧縮伸縮両用型のオイルダンパを使用することにより、ビル１の揺れとタワークレーン２の揺れの周期が異なる場合にも対応できる。さらに、オイルダンパは、公知のユニフロタイプまたはバイフロタイプでも好適に用いることができる。
【００１２】
図５に示すように、マスト４の中間部に用いられている従来タイプのマスト水平支持装置８も、マスト４とビル１の柱９の間にＶ字状に配置されている。このマスト水平支持装置８は、マスト側のステー２１、ステー長さ調整装置２２、及び柱側のステー２３で構成され、これらが棒状に連接されている。そして、マスト４のアウター材１４に設けられている取付金具１５にステー２１をフートピン１６で可回動に取り付け、ビル１の柱９に設けられている取付金具１７にステー２３をフートピン１６で可回動に取り付け、ステー長さ調整装置２２を締め付けることにより、マスト４を垂直にバランス良くビル１に強固に支持する。
【００１３】
以上のようにマスト４をマスト水平支持装置７、８で支持したタワークレーン２は、地震又は強風により揺れると、マスト水平支持装置７の制震装置１１が揺れを吸収して低減し、マスト水平支持装置７、８の破壊の防止及びタワークレーン２の倒壊を防止することができる。また、通常の作業で生じる揺れも制震装置１１が吸収し、タワークレーンの作業性を向上する事が出来る。
【００１５】
図１、２に示すように、ビル１の内側に設けられるタワークレーン３は、ビル１の上部の骨組にマスト２４を組み、このマスト２４の上端にクレーン２５を設けている。このマスト２４は、ビル１の骨組が組み上がるに応じて上方へ移動する。そして、マスト２４の上部を本発明の制震装置付のマスト水平支持装置７でビル１の柱９に固定し、地震又は強風時のタワークレーン３の揺れを低減してマスト水平支持装置７の破壊防止及びタワークレーン３の倒壊を防止している。
【００１６】
図６に示すように、マスト水平支持装置７は、マスト２４とビル１の柱９の間にＸ字状に配置されている。このマスト水平支持装置７も、上述したタワークレーン２に使用されているマスト水平支持装置７と同じであり、同一符号を付して説明は省略する。
【００１７】
なお、図示の実施の形態はあくまでも例示であり、本発明の技術的範囲を限定する趣旨ではない旨を付記する。
【００１８】
【発明の効果】
以上のように本発明のマスト水平支持装置は、制震装置が設けられているので、以下の効果を有する。
（１）中震以上の地震及び強風時に大きく揺れたり、繰り返し荷重が掛かっても、揺れは制震装置で吸収され、マスト水平支持装置及びタワークレーンが破壊することがない。
（２）  マスト水平支持装置による支持が確保されるので、タワークレーンが倒壊する虞がなくなる。
（３）  作業中の揺れも制震装置が吸収するので、快適に作業をすることができる。
（４）  制震装置にオイルダンパを使用しているので、揺れが充分に吸収され、耐久性がよい。
（５）  ビルの揺れとタワークレーンの揺れとを解析することにより、オイルダンパの減衰弁の抵抗値を最適に設定できる。
（６）  圧縮伸縮両用型のオイルダンパを使用することにより、ビルの揺れとタワークレーンの揺れの周期が異なる場合にも対応できる。
（７）  ステー長さ調整装置を締め付けることにより、タワークレーンを垂直にバランス良くビルに強固に支持することができる。
【図面の簡単な説明】
【図１】本発明のマスト水平支持装置で支持したタワークレーンでビルを建設している状態の正面図。
【図２】本発明のマスト水平支持装置で支持したタワークレーンでビルを建設している状態の平面図。
【図３】本発明のマスト水平支持装置でタワークレーンのマストを支持している状態の平面図。
【図４】制震装置の断面図。
【図５】従来のマスト水平支持装置でタワークレーンのマストを支持している状態の平面図。
【図６】本発明のマスト水平支持装置でタワークレーンのマストを支持している状態の平面図。
【符号の説明】
１・・・ビル
２、３・・・タワークレーン
４、２４・・・マスト
５、２５・・・クレーン
７、８・・・マスト水平支持装置
９・・・柱
１０、１３、２１、２３・・・ステー
１１・・・制震装置
１２、２２・・・ステー長さ調整装置
１４・・・アウター材
１５、１７・・・取付金具
１６・・・フートピン
１８・・・シリンダ
１９・・・ピストン
２０・・・減衰弁
【図１】
0003885919.tif 000002
【図２】
0003885919.tif 000003
【図３】
0003885919.tif 000004
【図４】
0003885919.tif 000005
【図５】
0003885919.tif 000006
【図６】
0003885919.tif 000007